(57)【要約】【課題】オゾンを効率的に利用しうる冷蔵庫の提供。【解決手段】断熱性能を有する箱本体１５０を備える冷蔵庫１００であって、箱本体１５０の内方を上下方向に仕切る板体１７２と、板体１７２の下方に配置され、板体１７２の下方空間に供給するオゾンを発生させるオゾン発生装置１７３と、オゾン発生装置１７３を収容し、板体１７２に保持される筐体１７４とを備える。【選択図】図４
2010203696.tif 000002
【特許請求の範囲】
【請求項１】
断熱性能を有する箱本体を備える冷蔵庫であって、
前記箱本体内方を上下方向に仕切る板体と、
前記板体の下方に配置され、前記板体の下方空間に供給するオゾンを発生させるオゾン発生装置と、
前記オゾン発生装置を収容し、前記板体に保持される筐体と
を備える冷蔵庫。
【請求項２】
前記板体は、
上下方向に貫通する取付孔であって、前記筐体が当該板体から下方突出状に嵌め合わされる取付孔が設けられ、
前記取付孔を閉塞する蓋体を備える
請求項１に記載の冷蔵庫。
【請求項３】
前記筐体は、前記板体の一部を下方に膨出し上部が開口するように前記板体と一体に成形され、
前記板体は、前記筐体の開口を閉塞する蓋体を備える
請求項１に記載の冷蔵庫。
【請求項４】
さらに、
前記筐体に収容され、前記板体の下方空間に光を照射する発光装置を備え、
前記筐体は、前記発光装置から発光される光を透過する透過部を備える
請求項１に記載の冷蔵庫。
【請求項５】
前記発光装置は、緑から青に至る波長の可視光を発光する
請求項４に記載の冷蔵庫。
【請求項６】
前記発光装置は、前記板体の下方空間に存在する分子の振動と共鳴する波長の光を発光する
請求項４に記載の冷蔵庫。
【請求項７】
さらに、
前記板体によって上方開口部が閉塞されて前記板体上方からの冷気の流入が遮断される抽斗を前記板体の下方空間に備える
請求項１〜請求項６のいずれか１項に記載の冷蔵庫。
【請求項８】
前記抽斗の前面部は、前記発光装置から発光される光を透過する材質で形成される
請求項７に記載の冷蔵庫。
【発明の詳細な説明】
【技術分野】
【０００１】
本願発明は、冷蔵庫に関し、特に、貯蔵空間をオゾンによって処理することのできる冷蔵庫に関する。
【背景技術】
【０００２】
従来、高い酸化作用を備えるオゾンは、冷蔵庫などの除菌や防かびなどに用いられている。例えば、冷蔵庫内の冷気を蒸発器に戻すための戻り通路内にオゾン発生装置を配置し、当該部分でオゾンを発生させることで、発生したオゾンを冷蔵庫内を循環する冷気に乗せて冷蔵庫内全体にオゾンを行き渡らせるようにしている（特許文献１参照）。
【０００３】
これにより、食品に付着した菌や庫内を浮遊する菌の増殖を抑えることができる、としている。
【特許文献１】特開２００１−９１１４６号公報
【発明の開示】
【発明が解決しようとする課題】
【０００４】
ところが昨今では、冷蔵庫に存在する菌ばかりでなく食品に残留している農薬等の化学物質が問題になっており、食品の貯蔵中においても食品に残留している農薬を減少させることが望まれている。そこで本願発明者らが、オゾンを冷気に乗せて冷蔵庫全体に行き渡らせる場合を実験し研究したところ、当該方法によっては、残留農薬等の化学物質を分解して無害化する効果を得ることは困難であることを見いだすに至った。
【０００５】
本願発明は、上記実験と研究とにより得られた知見に基づきなされたものであり、所定の領域内に存在する農薬等の化学物質をオゾンによって有効に分解することのできる冷蔵庫の提供を目的とする。
【課題を解決するための手段】
【０００６】
上記目的を達成するために、本願発明にかかる冷蔵庫は、断熱性能を有する箱本体を備える冷蔵庫であって、前記箱本体内方を上下方向に仕切る板体と、前記板体の下方に配置され、前記板体の下方空間に供給するオゾンを発生させるオゾン発生装置と、前記オゾン発生装置を収容し、前記板体に保持される筐体とを備えることを特徴としている。
【０００７】
これにより、前記板体の下方に配置されるオゾン発生装置から下方空間に直接オゾンが供給されるため、前記板体の下方空間に存在する化学物質や有機体に対しオゾンを有効に作用させることができ、化学物質を分解して無害化したり、有機体に作用して増殖を防止したりすることが可能となる。
【０００８】
また、オゾン発生装置は、筐体に収容されているため、高電圧が印加されるオゾン発生装置に直接手が触れることが無く安全性を向上させることができる。
【０００９】
また、オゾン発生装置が板体の下方に配置されているため、板体の上方空間を有効に利用することができ、冷蔵庫全体の有効貯蔵空間を広くすることが可能となる。
【００１０】
また、前記板体は、上下方向に貫通する取付孔であって、前記筐体が当該板体から下方突出状に嵌め合わされる取付孔が設けられ、前記取付孔を閉塞する蓋体を備えることが好ましい。
【００１１】
このように、オゾン発生装置と筐体とを板体に対し着脱可能とすることで、オゾン発生装置を備える冷蔵庫と備えない冷蔵庫とを容易に製造することが可能となる。従って、提供する冷蔵庫のバリエーションを拡げることができる。
【００１２】
また、オゾン発生装置を備えない冷蔵庫の場合、板体から下方に突出する筐体も無くすことができるため、板体の下方空間を広くすることが可能となる。
【００１３】
また、取付孔を閉塞する蓋体は、筐体が存在する場合は、筐体を閉塞する蓋体として機能してオゾン発生装置に直接手が触れるのを防止することができる。一方、筐体のない場合では、板体を上下方向に貫通する取付孔を閉塞することができるため、板体に載置される物品が取付孔から落下することを防止することができ、有効な貯蔵空間を拡げることが可能となる。
【００１４】
また、前記筐体は、前記板体の一部を下方に膨出し上部が開口するように前記板体と一体に成形され、前記板体は、前記筐体の開口を閉塞する蓋体を備えてもよい。
【００１５】
このように、板体と筐体とを一体に成形することで、製造コストを低下させることが可能となる。
【００１６】
さらに、前記筐体に収容され、前記板体の下方空間に光を照射する発光装置を備え、前記筐体は、前記発光装置から発光される光を透過する透過部を備えることが好ましい。
【００１７】
これにより、発光装置から発光される光とオゾンとの相乗効果により、板体の下方空間に存在する化学物質の分解を促進することが可能となり、また、殺菌を促進することも可能となる。また、発光装置からの光により、板体の下方空間に収容される野菜や果物などのビタミンの含有量を向上させることも可能となる。
【００１８】
特に、前記発光装置は、緑から青に至る波長の可視光を発光するものとしても良い。
これにより、野菜や果物のビタミンの含有量を特に向上させることが可能となる。また、板体の下方空間を見た者に清涼感を与えることも可能となる。
【００１９】
特に、前記発光装置は、前記板体の下方空間に存在する分子の振動と共鳴する波長の光を発光するものとしてもよい。
【００２０】
これによれば、オゾンと光との相乗効果により化学物質を効果的に分解することが可能となる。
【００２１】
さらに、前記板体によって上方開口部が閉塞されて前記板体上方からの冷気の流入が遮断される抽斗を前記板体の下方空間に備えることが好ましい。
【００２２】
これによれば、抽斗内部に冷気が直接流入しなくなるため、野菜や果物など冷気が直接接触することにより影響を受ける食品を好適に保存することが可能となる。一方、野菜や果物は、農薬の残留している可能性があり、野菜などから放出されるガスによって野菜自身が悪影響を受ける場合がある。また、野菜や果物は生のままで収容されるため、菌が付着した状態で収容されることがある。以上のような化学物質をオゾンにより分解し、また、菌を殺菌することができるため、野菜や果物を長期間新鮮な状態で保存することが可能となる。
【００２３】
前記抽斗の前面部は、前記発光装置から発光される光を透過する材質で形成されることが好ましい。
【００２４】
これによれば、抽斗前方から抽斗の内部を視認することができ、在庫の確認などが容易になる。特に、抽斗内部に光が照射される場合、前記光を抽斗の前方から認識することができ、冷蔵庫の使用者に抽斗内部の処理状態を提示することが可能となる。
【発明の効果】
【００２５】
本願発明は、オゾン発生装置から発生したオゾンを直接作用させることで、比較的低温下であっても農薬などの化学物質を分解することが可能となる。
【発明を実施するための最良の形態】
【００２６】
次に、本願発明に係る冷蔵庫の実施の形態について、図面を参照しつつ説明する。
図１は、冷蔵庫の外観を示す斜視図である。
【００２７】
冷蔵庫１００は、内方に貯蔵する貯蔵物を冷蔵、または、冷凍して保管する装置であり、箱本体１５０と、第一扉１１１と、第二扉１２１と、第三扉１１２と、貫通孔１１３と、第四扉１２２とを備えている。また、冷蔵庫１００は、高さ、幅、奥行きの内、高さが最も長い矩形の箱体である。
【００２８】
第一扉１１１は、箱本体１５０に向かって右側の開口部分を開閉自在に塞ぐ扉である。本実施の形態の場合、第一扉１１１は、箱本体１５０の右側の壁の前方に上下方向に延びる回動軸を中心として回動するように、ヒンジ（図示せず）によって箱本体１５０に取り付けられている。また、第一扉１１１は、上下方向に長い長方形であり、冷蔵庫１００の上部から下部にわたって配置され、第一扉１１１の右端縁部に前記回動軸が通っている。
【００２９】
第二扉１２１は、箱本体１５０に向かって左側の開口部分を開閉自在に塞ぐ扉である。本実施の形態の場合、第二扉１２１は、箱本体１５０の左側の壁の前方に上下方向に延びる回動軸を中心として回動するように、ヒンジ（図示せず）によって箱本体１５０に取り付けられている。また、第二扉１２１は、上下方向に長い長方形であり、冷蔵庫１００の上部から下部にわたって配置され、第二扉１２１の左端縁部に前記回動軸が通っている。
【００３０】
貫通孔１１３は、第一扉１１１を厚さ方向に貫通する孔である。貫通孔１１３は、第一扉１１１を開けることなく、第一扉１１１の後方に貯蔵されている貯蔵物を取り出し、また、第一扉１１１の後方に貯蔵するために貯蔵物を差し入れるための孔である。
【００３１】
第三扉１１２は、貫通孔１１３を開閉自在に塞ぐ扉である。本実施の形態の場合、第三扉１１２は、貫通孔１１３の下端縁に左右方向に延びる回動軸を中心として回動するように、ヒンジ（図示せず）によって第一扉１１１に取り付けられている。また、第三扉１１２は、前方から見た場合ほぼ正方形であり（角は丸められている）、第三扉１１２の下端縁部に前記回動軸が通っている。
【００３２】
第四扉１２２は、冷却された水等の飲料や氷などを供給するディスペンサの供給口１２３を開閉自在に塞ぐ扉である。
【００３３】
図２は、第一扉と第二扉とが開けられた冷蔵庫の外観を示す斜視図である。
なお、図２には、冷蔵庫１００に貯蔵される貯蔵物Ａも記載されている。
【００３４】
これらの図に示すように、冷蔵庫１００は、第一箱体１５１と、第二箱体１５２と、外箱１５６とを備えている。
【００３５】
第一箱体１５１は、前面に開口部を有し冷蔵室を形成する上下方向に長い断熱性能を備えた箱体である。本実施の形態の場合、第一箱体１５１は、冷蔵庫１００の上下方向全体にわたり冷蔵庫１００の右側に配置されている。なお、冷蔵室とは、０℃以上の温度帯に庫内温度を維持する部屋である。
【００３６】
第二箱体１５２は、前面に開口部を有し冷凍室を形成する上下方向に長い断熱性能を備えた箱体である。本実施の形態の場合、第二箱体１５２は、冷蔵庫１００の上下方向全体にわたり冷蔵庫の左側に配置されている。なお、冷凍室とは、マイナス１８℃前後の冷蔵室の温度よりも低い室温を維持し、冷凍食品などの貯蔵物を保管する部屋である。
【００３７】
外箱１５６は、左右方向に隣接して配置される第一箱体１５１と第二箱体１５２とを覆う金属板である。
【００３８】
ここで、本実施の形態における箱本体１５０は、次のようにして製造される。すなわち、区画壁１５３で隔てる冷蔵室と冷凍室とが内箱１５７によってそれぞれ独立に樹脂による一体成型で製造される。内箱１５７の外側に内箱１５７と所定の間隔を隔てて内箱１５７を覆うように外箱１５６を配置する。前記区画壁１５３の内部も、外箱１５６と内箱１５７との間にある隙間と連通する隙間が設けられている。外箱１５６と内箱１５７との間に設けられた隙間や区画壁１５３の隙間に、例えば硬質ウレタンフォームなどを充填発泡させて断熱材とする。以上により箱本体１５０が製造される。
【００３９】
従って、本実施の形態においては、第一箱体１５１と第二箱体１５２とが隣接する壁は不可分一体となっており、第一箱体１５１と第二箱体１５２とが区画壁１５３を壁部として共有するものとなっている。
【００４０】
図３は、第一箱体の下部を示す斜視図である。
図２、図３に示すように、第一箱体１５１は、板体１７２と、その下方に抽斗１７０とを備えている。また、板体１７２の上方にも第二抽斗１１７を備えている。
【００４１】
板体１７２は、箱本体１５０の一部である第一箱体１５１の内方を上下方向に仕切る板状の部材であり、抽斗１７０の上方開口部を閉塞し、板体１７２の上方に存在する冷気の流れが抽斗１７０の内方に直接流れ込むのを遮断する部材である。
【００４２】
図４は、抽斗と共に板体を分解して示す斜視図である。
本実施の形態の場合、板体１７２は、板本体１７８と、蓋体１７１と、フラップ１７６とで構成されている。また、板体１７２には筐体１７４を介してオゾン発生装置１７３が取り付けられている。筐体１７４には発光装置１７５が収容されている。
【００４３】
板本体１７８は、第一箱体１５１の両側壁に架橋状に取り付けられており、第一箱体１５１の上方空間と下方空間とを固定的に区画する部材である。また、板体１７２の中央には取付孔１７７が設けられている。
【００４４】
取付孔１７７は、板本体１７８を上下方向に貫通する孔であって、オゾン発生装置１７３を収容する筐体１７４が上方から挿入され、挿入された筐体１７４が板体１７２から下方に突出するように嵌め合わされて固定されるための孔である。
【００４５】
このように、板本体１７８に取付孔１７７を設けることで、オゾン発生装置１７３と筐体１７４とを取り付けるか否かを任意に選択することが可能となる。従って、冷蔵庫１００としてのバリエーションを拡げることができ、オゾン発生装置１７３と筐体１７４とを取り付けない場合には、抽斗１７０の上方空間に無駄な突出部を無くすことが可能となる。
【００４６】
蓋体１７１は、取付孔１７７を閉塞する部材である。本実施の形態の場合、蓋体１７１は、板体１７２の幅方向全体に広がって配置される板状の部材である。取付孔１７７にオゾン発生装置１７３と筐体１７４とが取り付けられている場合には、蓋体１７１は、取付孔１７７を覆うと共に、筐体１７４の開口部を閉塞している。これにより、筐体１７４の上部が開口していても、冷蔵庫１００の使用者がオゾン発生装置１７３に容易に手が届かないようにすることが可能となる。また、取付孔１７７にオゾン発生装置１７３と筐体１７４とが取り付けられていない場合には、蓋体１７１は、取付孔１７７を閉塞して冷気の通過を遮断し、取付孔１７７から貯蔵物が落下することを防止する部材となる。また、上面が平坦な蓋体１７１が板体１７２の大部分を占めることで、板体１７２としての機能を確保しつつ意匠性を向上させることも可能となる。
【００４７】
フラップ１７６は、板体１７２の前部に幅方向全体にわたって設けられる可動部材である。フラップ１７６は、抽斗１７０を引き出した際に、前部が上方に跳ね上がるように回動する部材であり、抽斗１７０を僅かに引き出した場合でも貯蔵物を出し入れし易いように設けられた部材である。また、フラップ１７６は、透明な樹脂で形成されており、抽斗１７０の上方から抽斗１７０に収容される貯蔵物を見ることができるものとなっている。
【００４８】
抽斗１７０は、板体１７２の下方空間に差し入れた状態で板体１７２によって上方開口部が閉塞される箱状の部材であり、箱本体１５０に対して挿脱自在となっている。抽斗１７０は、板体１７２によって上方からの冷気の流入が遮断されているため、抽斗１７０に収容される貯蔵物は、第一箱体１５１内方を循環する冷気に直接当たらない。また、抽斗１７０の内方の湿度を維持することも可能である。従って、抽斗１７０は、野菜や果物などを生の状態で収容するのに好適であり、野菜室と称されることがある。本実施の形態の場合、抽斗１７０は、透明（半透明）の樹脂で形成されている。これは、抽斗１７０に収容している貯蔵物の視認性を向上させるためであり、また、抽斗１７０を板体１７２の下方空間に挿入した状態においても、発光装置１７５からの発光を抽斗１７０の外方から視認できるようにするためである。
【００４９】
オゾン発生装置１７３は、板体１７２の下方空間に供給するオゾンを発生させる装置である。本実施の形態の場合、オゾン発生装置１７３は、抽斗１７０の内方にオゾンを供給するものとなっている。オゾン発生装置１７３は、板体１７２に直接取り付けられている筐体１７４を介して板体１７２の下方に取り付けられている。オゾン発生装置１７３は、供給される電源電圧を昇圧する昇圧部（図示せず）と、空間中に高電位の端子を配置し空気中の酸素からオゾンを生成するオゾン生成部（図示せず）とを備えている。なお、オゾン発生装置１７３は、上記に限定されるものではない。具体的には、空気中の酸素分子（Ｏ2）に紫外線光を照射してオゾン（Ｏ3）を発生させる装置や、空気中に配置された電極を高電圧とし、放電等によって空気中の酸素分子をオゾンに変換する装置、水など酸素を含む物質を電気分解して空気中にオゾンを供給する装置などでもよい。
【００５０】
筐体１７４は、オゾン発生装置１７３を内方に収容し、オゾン発生装置１７３に手や貯蔵物等が不用意に接触するのを防止する箱状の部材である。これにより、冷蔵庫１００の安全性を向上させることが可能となる。また、筐体１７４は、オゾン発生装置１７３から放出される熱の流出を抑制して、板体１７２の下方空間がオゾン発生装置１７３により加熱されるのを防止すると共に、オゾン発生装置１７３の周囲の温度を比較的高温に維持してオゾンの発生効率の上昇を図るための部材である。従って、オゾン発生に必要な電力消費を抑えることができ、省エネルギーに寄与することが可能となる。
【００５１】
筐体１７４は、図５に示すように、板体１７２に対し垂下状に取り付けられることで、収容されるオゾン発生装置１７３を板体１７２の下方に配置している。本実施の形態の場合、筐体１７４の下部にはオゾンを筐体１７４の外方に漏出させる漏出孔１７９が設けられている。従って、抽斗１７０の上方に突出状に配置される筐体１７４の下部からオゾンが漏出するため、空気よりも比重の重いオゾンは抽斗１７０の内方に直接供給される。
【００５２】
以上により、第一箱体１５１内に対流している冷気が直接流入することが無い抽斗１７０内方には、激しい対流は発生しない。また、抽斗１７０の上方に配置されるオゾン発生装置１７３から抽斗１７０の内方に直接オゾンが供給される。従って、抽斗１７０の内部には、活性の高いオゾンを所望の濃度で存在させることが可能となる。当該オゾンにより抽斗１７０の内方に貯蔵されている野菜や果物などに残留している農薬を効率よく分解することが可能となる。また、野菜などから自然に放出されるエチレンガスを分解して、エチレンガスによる野菜の劣化を防止することが可能となる。
【００５３】
オゾンにより分解の対象となる農薬とは、クロルピリホス、または、マラチオン、ピレスロイド系の農薬などを例示することができる。これらの農薬は食品によく使用され、食品に残留している可能性の高い農薬と考えられる。
【００５４】
なお、本実施の形態においては、板体１７２と筐体１７４とを分離可能として説明したが、本願発明はこれに限定されるものではない。例えば、図６に示すように、筐体１７４は、板本体１７８の一部を下方に膨出し上部が開口するように板本体１７８と一体に成形されるものでもよい。また、蓋体１７１は、板本体１７８と一体の筐体１７４の開口のみを閉塞するものでもかまわない。
【００５５】
また、板体１７２は、箱本体１５０の内方を一の側面から他の側面にわたって全体的に仕切るものに限定されない。
【００５６】
発光装置１７５は、板体１７２の下方空間に光を照射する装置であり、筐体１７４に収容されている。筐体１７４の発光装置１７５が取り付けられている部分は、発光装置１７５から発光される光を透過するようになっており、透過部を形成している。本実施の形態の場合、発光装置１７５は、発光ダイオード（ＬＥＤ）を光源として備えている。
【００５７】
発光装置１７５から照射する光の波長は、本願発明においては特に限定されるものではない。例えば、抽斗１７０に収容される野菜や果物などに光を照射してビタミンの含有量の向上を図りたい場合、発光装置１７５から照射する光の波長は、緑から青の間の可視光を照射することが好ましい。光源として発光ダイオードを採用する場合、同じ波長の光を発光する発光ダイオードを採用しても良く、異なる波長の光を発光する複数の発光ダイオードを採用してもかまわない。また、発光装置１７５の発光方法は、連続的に光を照射するものでも良く、また、断続的に光を照射するものでも良い。また、断続的に光を照射する場合、人間には連続的に発光していると感じる程度以上の高速で断続的に光を照射してもかまわない。
【００５８】
一方、抽斗１７０に収容される野菜や果物などに残留している農薬や野菜などから放出されるエチレンのオゾンによる分解を促進するためには、これら農薬やエチレン、または、オゾン等の分子間振動に影響しうる波長の光を照射することが好ましい。このような波長は、赤外領域や、可視領域、また、紫外領域のいずれの波長領域にも含まれているが、特に赤外領域が好ましいと考える。
【００５９】
具体的には、農薬を構成する分子の振動と共鳴する波長が好ましい。当該波長は、赤外領域に存在すると考えられている。より具体的には、対象とする農薬の赤外線吸収スペクトルを用い、最も強く吸収する部分の波長などスペクトルの谷の部分に該当する波長が好ましい。たとえば、クロルピリホス、または、マラチオン、ピレスロイド系の農薬の赤外線吸収スペクトルから特定される波長が好ましい。食品によく使用され、食品に残留している可能性の高い農薬だからである。
【００６０】
一方、オゾンが活性化する波長でもかまわない。例えばオゾンが吸収する赤外領域の波長である。オゾンが活性化すれば、農薬の分解を促進するからである。
【００６１】
なお、本実施の形態では、光源として発光ダイオードを用いたが、特にこれに限定されるわけではなく、連続的なスペクトルの光を放出する光源でもかまわない。また、ビタミン向上と農薬分解など目的の異なる波長を複数の光源から照射してもかまわない。
【００６２】
図７は、背面板を示す斜視図である。
同図、及び、図５に示すように、本実施の形態では、冷蔵庫１００は、背面板１３０を備えている。背面板１３０は、挿入された抽斗１７０の背部に配置され、冷蔵庫１００の冷却サイクルを構成する装置である蒸発器（図示せず）と、第一箱体１５１の内方空間とを隔てる部材であり、冷気の吐出口及び吸い込み口を備えている。背面板１３０は、背面板本体１３１と、背面化粧板１３２とを備えている。
【００６３】
背面板本体１３１は、断熱性能を備えた部材であり、背面板本体１３１の背部に配置される蒸発器と第一箱体１５１の内方とを隔てることで、第一箱体１５１の内方を適切な温度に保っている。
【００６４】
背面化粧板１３２は、第一箱体１５１の内面の意匠性を向上させるための部材であり、背面板本体１３１の前面全体を覆うように背面化粧板１３２に取り付けられている。
【００６５】
また、背面化粧板１３２には、第二発光装置１６５と、第二発光装置１６５を覆うカバー部材１６６が取り付けられている。
【００６６】
第二発光装置１６５は、発光装置１７５と同じ機能を担うものであり、発光装置１７５と共に多方向から光を照射することで、抽斗１７０の内方に貯蔵物などによる影の部分を減少させ、ビタミンの向上や農薬分解の促進の効果を維持するための装置である。
【００６７】
以上のように、本実施の形態の冷蔵庫１００は、オゾン発生装置１７３が板体１７２の下方に垂下状に取り付けられている。また、抽斗１７０が挿入された状態において、板体１７２は、抽斗１７０の上部開口を閉塞する。従って、オゾン発生装置１７３は、板体１７２と抽斗１７０とで閉塞された空間内に配置され、当該空間に直接オゾンを供給する。従って抽斗１７０内方は、比較的高い濃度のオゾンが存在し、前記空間は第一箱体１５１内方に発生する対流とは隔絶されているため、前記オゾンが抽斗１７０の内方に長時間滞留する。これにより、抽斗１７０の内方に存在する農薬やエチレンガス等の化学物質を効率よく分解することができ、また、殺菌や菌の増殖を効果的に行うことが可能となる。
【００６８】
また、発光装置１７５や第二発光装置１６５からの光により、化学物質の分解や殺菌などを促進することも可能であり、また、抽斗１７０内方に貯蔵される野菜や果物などのビタミン含有量を向上させることも可能となる。
【００６９】
なお、本実施の形態では、板体１７２の下方空間に抽斗１７０を備えているが、本願発明においては、抽斗１７０は必須ではなく、例えば、板体１７２の下方空間のみを開閉できる扉を備え、板体１７２の下方空間に貯蔵物を直接収容するものでもかまわない。
【産業上の利用可能性】
【００７０】
本願発明は、冷蔵庫、特に、貯蔵空間を上下方向に区画する板体を備える冷蔵庫に適用可能である。
【図面の簡単な説明】
【００７１】
【図１】冷蔵庫の外観を示す斜視図である。
【図２】第一扉と第二扉とが開けられた冷蔵庫の外観を示す斜視図である。
【図３】第一箱体の下部を示す斜視図である。
【図４】抽斗と共に板体を分解して示す斜視図である。
【図５】第一箱体１５１の一部を切り欠いて断面を示す斜視図である。
【図６】板体と筐体との別態様を分解して示す斜視図である。
【図７】背面板を示す斜視図である。
【符号の説明】
【００７２】
１００  冷蔵庫
１１１  第一扉
１１２  第三扉
１１３  貫通孔
１１７  第二抽斗
１２１  第二扉
１２２  第四扉
１２３  供給口
１３０  背面板
１３１  背面板本体
１３２  背面化粧板
１５０  箱本体
１５１  第一箱体
１５２  第二箱体
１５３  区画壁
１５６  外箱
１５７  内箱
１６５  第二発光装置
１６６  カバー部材
１７０  抽斗
１７１  蓋体
１７２  板体
１７３  オゾン発生装置
１７４  筐体
１７５  発光装置
１７６  フラップ
１７７  取付孔
１７８  板本体
１７９  漏出孔
【図１】
2010203696.tif 000003
【図２】
2010203696.tif 000004
【図３】
2010203696.tif 000005
【図４】
2010203696.tif 000006
【図５】
2010203696.tif 000007
【図６】
2010203696.tif 000008
【図７】
2010203696.tif 000009